(57)【特許請求の範囲】
【請求項１】
内部に収納空間を有すると共に側壁部の一側が開放されている形状とされ、前記収納空間に増幅器が収納可能とされていると共に、該増幅器に電源を供給する電源部を着脱可能に収納可能とされているケース本体部と、
該ケース本体部の前記一側に回転可能に支持されると共に、内部に収納空間を有する形状とされて、前記ケース本体部の開放面を覆うように被嵌される蓋部と、
信号入力端子が下部から突出している前記電源部とからなり、
前記ケース本体部に対して前記蓋部を回転することにより開けた状態とした際に、前記蓋部を回転したことにより前記一側近傍に形成される空間を利用して、前記電源部を前記ケース本体部の底面部に当接させるよう前記ケース本体部の収納空間に収納した後、前記電源部を前記底面部に沿うと共に前記側壁部の開放されている一側に対向する側壁部側に移動させることにより、前記電源部の下部から突出している前記信号入力端子が前記ケース本体部に収納されている前記増幅器内に収容されて、前記信号入力端子を介して前記増幅器に電源が供給されるようにしたことを特徴とする増幅器ケース。
【請求項２】
前記本体部ケースの対面する側壁部の内側に対となる屈曲された突起が対向するように形成されており、前記電源部を前記底面部に沿うと共に前記側壁部の開放されている一側に対向する側壁部側に移動させた際に、前記電源部の両側面から突出するよう形成されている突部が前記屈曲された突起に係合することにより、前記電源部が前記ケース本体内に装着されるようにしたことを特徴とする請求項１記載の増幅器ケース。
【請求項３】
前記蓋部を前記ケース本体部に被嵌した際に、前記ケース本体部に収納されている前記電源部を保持して固定する保持用リブが、前記蓋部の内側に形成されていることを特徴とする請求項１記載の増幅器ケース。
【請求項４】
前記蓋部の上側壁部の先端が延伸されて円弧状部が形成されており、前記蓋部を前記ケース本体部に対して回転させて被嵌する際に、前記円弧状部の内周面に前記底面部の先端縁が摺接されると共に、前記底面部の先端部の裏面に形成された補強壁の先端が摺接されるようにしたことを特徴とする請求項１記載の増幅器ケース。
【発明の詳細な説明】
【技術分野】
【０００１】
本発明は、ＣＡＴＶ信号を増幅する増幅器が収納される増幅器ケースに関するものである。
【背景技術】
【０００２】
従来、ＣＡＴＶシステムからＣＡＴＶ信号を建物の屋内に導入する際には、図１６に一例を示すようにＣＡＴＶライン１００により伝送しているＣＡＴＶ信号を分岐器１０１により分岐し、建物の外壁に取り付けた増幅器１０２に供給する。そして、増幅器１０２により増幅した後、同軸ケーブルにより建物内に導入し、分配器１０３により例えば２分配してテレビジョン受像機（ＴＶ）に供給している。増幅器１０２は、分配器１０３等によるＣＡＴＶ信号のレベル低下を補うものであり、増幅器ケースに収納されている。また、この増幅器ケース内には増幅器１０２に電源を供給する電源部も収納されている。電源部は、商用交流電源（ＡＣ１００Ｖ）で動作するようにされている。
【０００３】
また、ＣＡＴＶシステムからＣＡＴＶ信号を建物の屋内に導入する際の他の構成を図１７に示す。この例では、増幅器１０２に供給する電源部を増幅器ケース内に収納することに代えて、建物の屋内にて同軸ケーブルの途中に電源部１０４を設置している。そして、電源部１０４においてＡＣ１００Ｖの商用交流電源を例えば＋１５Ｖの直流電源に変換して同軸ケーブルにより増幅器１０２に供給している。この構成では、屋外にＡＣ１００Ｖのコンセントを設けることを不要とすることができる。
【発明の開示】
【発明が解決しようとする課題】
【０００４】
このように、ＣＡＴＶ信号を導入する際に、ＣＡＴＶ信号を増幅する増幅器１０２に電源を供給する構成が２種類存在している。すなわち、図１６に示したように増幅器１０２の増幅器ケース内に内蔵した電源部を用いてＡＣ１００Ｖで動作させる構成と、図１７に示したように増幅器１０２から離れた場所（屋内）に電源部１０４を設け、この電源部１０４においてＡＣ１００Ｖを直流電源に変換し、ＣＡＴＶ信号が供給される同軸ケーブルを利用して増幅器１０２に電源を供給する構成とのいずれかが用いられている。図１７に示す構成は、前述したように屋外にＡＣ１００Ｖのコンセントがない場合に採用される。
【０００５】
従って、ＣＡＴＶ用増幅器を提供するメーカは、増幅器ケースに電源部も内蔵されているタイプと、増幅器のみを内蔵する増幅器ケースと、電源部とに分離されているタイプとの２タイプを用意しなければならないことになる。また、ＣＡＴＶ工事を行う工事業者も同様であり、このため、在庫管理等の必要性から高コストになるという問題点があった。また、工事業者は現場対応となるため２タイプの増幅器を現場に搬入しておかなければならず、部材の確認など作業が煩雑になるという問題点があった。
【０００６】
これを解決するために、増幅器ケース内に電源部を脱着可能に収納できるようにした増幅器が提案（特許第３２３９１０５号）されている。この増幅器では、屋外にＡＣ１００Ｖの供給源がある場合は、増幅器ケース内に電源部を収納した状態として図１６に示すような構成とすることができ、屋外にＡＣ１００Ｖの供給源がない場合は、増幅器ケース内から電源部を取り出して屋内に設置する図１７に示すような構成とすることができる。この場合、電源部には同軸ケーブルを接続することができる信号入力端子と信号出力端子が設けられると共に、増幅器にも信号入力端子と信号出力端子とが設けられている。そして、増幅器の信号出力端子は電源入力端子を兼用していると共に、電源部の信号入力端子は電源出力端子を兼用している。そこで、増幅器から電源部を分離して使用する際には、増幅器の信号出力端子と電源部の信号入力端子とを同軸ケーブルで接続することにより、増幅器に電源部から電源を供給することができるようになる。なお、電源部に入力されたＣＡＴＶ信号は、そのまま信号出力端子から出力される。
【０００７】
また、電源部には電源を供給する専用のジャックが設けられており、増幅器ケースに電源部を収納した際に、ジャックが増幅器に設けられている電源入力用のプラグに接続されるようになされている。これにより、増幅器ケースに電源部を収納した際に、増幅器に電源部から電源が供給されるようになる。このように、電源部に電源を供給する専用のジャックを設けるのは、電源部に設けられている信号入力端子および信号出力端子が下面から突出するように設けられており、この信号入力端子を利用して電源を供給するには、そのための収納空間を必要とし、必要以上に増幅器ケースが大きくなるという問題点が生じるからである。
しかしながら、電源部に設けられた専用のジャックは電源部を分離して使用する際には使用されないと共に、その部品が必要になり回路も複雑になるという問題点があった。
【０００８】
そこで、本発明は、必要以上の収納空間を必要とすることなく電源を供給する専用のジャックを電源部に設ける必要のない増幅器ケースを提供することを目的としている。
【課題を解決するための手段】
【０００９】
上記目的を達成するために、本発明の増幅器ケースは、内部に収納空間を有すると共に側壁部の一側が開放されている形状とされ、前記収納空間に増幅器が収納可能とされていると共に、該増幅器に電源を供給する電源部を着脱可能に収納可能とされているケース本体部と、該ケース本体部の前記一側に回転可能に支持されると共に、内部に収納空間を有する形状とされて、前記ケース本体部の開放面を覆うように被嵌される蓋部と、信号入力端子が下部から突出している前記電源部とからなり、前記ケース本体部に対して前記蓋部を回転することにより開けた状態とした際に、前記蓋部を回転したことにより前記一側近傍に形成される空間を利用して、前記電源部を前記ケース本体部の底面部に当接させるよう前記ケース本体部の収納空間に収納した後、前記電源部を前記底面部に沿うと共に前記側壁部の開放されている一側に対向する側壁部側に移動させることにより、前記電源部の下部から突出している前記信号入力端子が前記ケース本体部に収納されている前記増幅器内に収容されて、前記信号入力端子を介して前記増幅器に電源が供給されるようにしている。
【００１０】
また、上記本発明の増幅器ケースにおいて、前記本体部ケースの対面する側壁部の内側に対となる屈曲された突起が対向するように形成されており、前記電源部を前記底面部に沿うと共に前記側壁部の開放されている一側に対向する側壁部側に移動させた際に、前記電源部の両側面から突出するよう形成されている突部が前記屈曲された突起に係合することにより、前記電源部が前記ケース本体内に装着されるようにしてもよい。
さらに、上記本発明の増幅器ケースにおいて、前記蓋部を前記ケース本体部に被嵌した際に、前記ケース本体部に収納されている前記電源部を保持して固定する保持用リブが、前記蓋部の内側に形成されていてもよい。
さらにまた、上記本発明の増幅器ケースにおいて、前記蓋部の上側壁部の先端が延伸されて円弧状部が形成されており、前記蓋部を前記ケース本体部に対して回転させて被嵌する際に、前記円弧状部の内周面に前記底面部の先端縁が摺接すると共に、前記底面部の先端部の裏面に形成された補強壁の先端が摺接されるようにしてもよい。
【発明の効果】
【００１１】
このような本発明によれば、蓋部を回転したことにより形成される空間を利用して、電源部をケース本体部内に収納できるようにしている。そして、蓋部を回転して閉じた際には前記利用した空間はなくなることから、増幅器ケースの大きさを増幅部と電源部とを収納できる必要最小限の大きさとすることができる。また、増幅器ケース内に収納された電源部をその底面部に沿って移動させることにより、電源部の突部が増幅器ケースの屈曲された突起に係合して電源部が装着されると共に、この際に、電源部の信号入力端子が増幅器に接続されて電源を増幅器に供給することができるようになる。さらに、蓋部を回転して閉じた際に蓋部の内側に形成されている保持用リブが電源部を保持するようになり、これにより、着脱可能な電源部を安定して増幅器ケース内に収納できるようになる。さらにまた、蓋部をケース本体部に対して回転させて被嵌する際に、蓋部の上側壁部に形成されている円弧状部の内周面に底面部の先端縁と、底面部の先端部の裏面に形成された補強壁の先端が摺接される構成としたので、増幅器ケースを防水構造を有する水密な構成とすることができる。
【発明を実施するための最良の形態】
【００１２】
本発明の実施の形態の増幅器ケースの全体構成を示す正面図を図１に、その側面図を図２に、その底面図を図３に示す。
これらの図に示すように、増幅器ケース１は厚みの薄い直方体状をしており、後述するように増幅部を収納していると共に、電源部を着脱可能に収納可能とされている。増幅器ケース１は、ケース本体部３と、ケース本体部３に被嵌される蓋部２とから構成されている。蓋部２の一側には一対の回転支持部４が形成されており、この回転支持部４によりケース本体部３に対して回転可能とされている。ケース本体部３の下面には信号入力端子５と信号出力端子６とが設けられ、電源部が収納されている場合は図示するように電源ケーブル７が導出されている。なお、信号入力端子５と信号出力端子６とは同軸コネクタにより構成されており、同軸ケーブルの先端に設けられている同軸プラグが装着できるようにされている。
【００１３】
本発明にかかる増幅器ケース１には増幅部と電源部とが収納可能とされており、その使用態様を、増幅部３１と電源部４０の回路構成を示す図４を参照して説明する。
増幅部３１では、信号入力端子５に入力されたＣＡＴＶ信号をコンデンサＣ１を介して増幅回路３１ａに供給され所定レベルとなるように増幅される。増幅回路３１ａにより増幅されたＣＡＴＶ信号はコンデンサＣ２を介して信号出力端子６から出力される。増幅回路３１ａには電源部４０から直流電源が供給される。電源部４０は、供給されたＡＣ１００Ｖを所定の直流電圧、例えば＋１５Ｖに変換する電源回路４０ａを備えており、電源回路４０ａから出力される直流電源はコイルＬ２を介して信号入力端子／電源出力端子４２から出力される。また、信号入力端子／電源出力端子４２から入力されたＣＡＴＶ信号は、コイルＬ２のインピーダンスにより電源回路４０ａ側へは伝達されず、コンデンサＣ３を介して信号出力端子４３から出力される。
【００１４】
ここで、電源部４０が増幅器ケース１内に収納されている場合は、点線で示す経路ａのように信号入力端子／電源出力端子４２は電源入力端子３２に接続される。この場合は、信号入力端子／電源出力端子４２から出力された直流電源は増幅部３１の電源入力端子３２に供給され、直流電源は増幅回路３１ａに供給される。なお、信号出力端子６側へはダイオードＤ１により阻止されて供給されない。これにより、増幅器ケース１内に収納されている電源部４０から増幅部３１へ電源が供給されるようになる。
【００１５】
また、電源部４０が分離されて増幅器ケース１とは離れたところに設置される場合は、点線で示す経路ｂのように信号入力端子／電源出力端子４２は増幅部３１の信号出力端子６に同軸ケーブルにより接続される。この場合は、信号入力端子／電源出力端子４２から出力された直流電源は増幅部３１の信号出力端子６に供給され、直流電源はコンデンサＣ２により阻止されて、コイルＬ１およびダイオードＤ１を介して増幅回路３１ａに供給される。これにより、増幅器ケース１と離れたところに設定されている電源部４０から増幅部３１へ電源が供給されるようになる。なお、増幅回路３１ａから出力されるＣＡＴＶ信号はコイルＬ１のインピーダンスにより阻止され、信号出力端子６から出力される。また、信号出力端子６と信号入力端子／電源出力端子４２とは同軸ケーブルにより接続されて、この同軸ケーブルにより電源部４０に供給されたＣＡＴＶ信号は、コンデンサＣ３を介して信号出力端子４３から出力されて、テレビジョン装置等へ供給される。
【００１６】
次に、増幅器ケース１におけるケース本体部３の内部構造を図５に示し、蓋部２を開けた状態の増幅器ケース１の構成を断面図で図６に示す。
ケース本体部３は、矩形状の底面部１５と、底面部１５の３方の縁部から立設して形成されている左側壁部１３、右側壁部１４および下側壁部１６とから構成されて、内部に収納空間が形成されている。増幅部３１はケース本体部３の収納空間の下部に収納されており、増幅部３１の下面から突出して設けられている信号入力端子５および信号出力端子６が、下側壁部１６に形成されている貫通孔を介してケース本体部３の下面から突出している。ケース本体部３の上縁には側壁部が形成されていないが、底面部１５の上部裏面にそれに代わる補強壁１９が形成されている。そして、対面している左側壁部１３と右側壁部１４とに対向するように第１Ｌ字突起１１と第２Ｌ字突起１２とが、それぞれ対で形成されている。第１Ｌ字突起１１と第２Ｌ字突起１２は、それぞれＬ字状の突起とされており、後述する電源部４０に形成されている突部が係合する突起とされている。また、左側壁部１３と右側壁部１４との上部には外面に向かって突出する支軸１７がそれぞれ形成されている。この支軸１７には蓋部２の回転支持部４が回転可能に枢支される。
【００１７】
また、ケース本体部３の底面部１５の外面には保持部８が形成されており、この保持部８により建物等の外壁に取り付けることができるようにされている。蓋部２は、矩形状の上面部２１と、上面部２１の４縁から立設して形成されている対向する２つの側壁部２２、上側壁部２３および下側壁部２６とから構成されて、内部に収納空間が形成されている。上側壁部２３の先端部は円弧状に屈曲された円弧状部２７が形成されている。この円弧状部２７は、一対の回転支持部４間にわたり形成されている。この円弧状部２７の先端が、ケース本体部３の底面部１５の裏面に当接するまで、蓋部２は回転することができる。また、上側壁部２３には複数（例えば、３個）の保持用リブ２４が内側に形成されている。この保持用リブ２４は、蓋部２をケース本体部３に被嵌した際に、ケース本体部３内に収納された電源部４０を安定に保持するリブとされている。さらに、上面部２１の下端には一対の係止片２５が形成されている。この係止片２５は蓋部２をケース本体部３に被嵌した際に、ケース本体部３の下側壁部１６の外面に立設して形成されている係合片１８に係合する係止片とされている。
【００１８】
次に、電源部４０の構成を図７ないし図９に示す。ただし、図７は電源部４０の構成を示す正面図であり、図８は電源部４０の構成を示す下面図であり、図９は電源部４０の構成を示す側面図である。
これらの図に示すように電源部４０は、細長い直方体状とされており両側面からそれぞれ一対の突部４１が突出するよう形成されている。突部４１の断面形状は細長い矩形状とされている。また、電源部４０の下面からは信号入力端子／電源出力端子４２と信号出力端子４３とが突出するよう設けられている。この信号入力端子／電源出力端子４２と信号出力端子４３とは同軸コネクタにより構成されており、同軸ケーブルの先端に設けられている同軸プラグが装着できるようにされている。さらに、電源部４０の下面からはＡＣ１００Ｖのコンセントに装着される電源ケーブル７が導出されている。さらにまた、電源部４０の下面の縁部から、増幅器ケース１内に収納する際の位置決めとなる一対の位置決め片４４が突出するよう形成されている。
【００１９】
次に、電源部４０を増幅器ケース１内に収納する際の手順を図１０ないし図１５を参照して説明する。ただし、図１０は電源部４０を増幅器ケース１内に収納する際の第１の手順を説明するための増幅器ケース１の断面図で示す側面図であり、図１１はその正面図であり、図１２は電源部４０を増幅器ケース１内に収納する際の第２の手順を説明するための増幅器ケース１の断面図で示す側面図であり、図１３および図１４はその正面図であり、図１５は電源部４０を増幅器ケース１内に収納する際の第３の手順を説明するための増幅器ケース１の断面図で示す側面図である。
【００２０】
電源部４０を増幅器ケース１内に収納する際には、図１０および図１１に示すように、蓋部２をケース本体部３に対して回転させ、円弧状部２７の先端がケース本体部３の底面部１５の裏面に当接するまで回転させることにより蓋部２を開けた状態とする。回転する際の支点は回転支持部４となる。このように蓋部２を開けることにより、ケース本体部３の上部に蓋部２の収納空間による空間が生じるようになる。そこで、電源部４０をこの空間を利用して図１０に示す右向き矢印のように電源部４０を増幅器ケース１内に収納し、電源部４０の背面がケース本体部３の底面部１５に当接するようにする。これが第１の手順である。
【００２１】
次いで、図１０に示す下向き矢印のように電源部４０を、底面部１５に沿って下方へスライドさせる。この際に、電源部４０の両側面に設けられている４つの突部４１が、それぞれケース本体部３の側壁部１３，１４に形成されている第１Ｌ字突起１１および第２Ｌ字突起１２に係合して下方および前方への移動が規制されて位置決めされる。さらに、位置決め片４４の作用によっても電源部４０が増幅部３１に対して位置決めされる。すると、図１２ないし図１４に示すように電源部４０の下面から突出するよう設けられている信号入力端子／電源出力端子４２が増幅部３１に設けられている電源入力端子３２に挿入され、信号出力端子４３は増幅部３１に形成されている凹部３３に挿入されるようになる。これにより、図４に示す経路ａが実現されるようになる。これが第２の手順である。なお、図１３は増幅部３１のカバーが装着された状態を示しており、図１４は増幅部３１のカバーを取り去った状態を示している。
【００２２】
次に、蓋部２を閉めるように回転させると図１５に示す状態となる。この場合、蓋部２の先端部に形成されている一対の係合片１８の先端が、ケース本体部３の下側壁部１６から突出するよう形成されている係止片２５に係合するようになる。この場合、蓋部２に形成されている円弧状部２７の内周面は、ケース本体部３に形成されている補強壁１９の先端に摺接されており、さらに、底面部１５の上端縁にも円弧状部２７の内周面が摺接するようになる。これにより、底面部１５の上端部が防水壁１５ａになると共に補強壁１９も防水壁となり、ケース本体部３に蓋部２が被嵌された水密な増幅器ケース１となる。そして、蓋部２の上側壁部２３の内側に形成された複数の保持用リブ２４により電源部４０は保持されると共に、係合している４つの突部４１と第１Ｌ字突起１１および第２Ｌ字突起１２との作用により、図１５に示すように電源部４０は増幅器ケース１内に安定に保持されるようになる。これが第３の手順である。なお、保持用リブ２４の形状は、電源部４０の外面形状に一致する形状とされている。
【００２３】
図１５を参照すると理解できるように、電源部４０の下面から突出するよう設けられている信号入力端子／電源出力端子４２を、増幅部３１に設けられている電源入力端子３２に挿入するようスライドしているにもかかわらず、そのスライドのための空間は生じていない。これは、前述したように蓋部２を開けた際にその収納空間を利用しているからである。このように、本発明の増幅器ケース１によれば、増幅器ケース１の大きさを増幅部３１と電源部４０とを収納できる必要最小限の大きさとすることができる。また、増幅器ケース１内に電源部４０を収納した際においても、電源部４０を分離した際に電源を出力する信号入力端子／電源出力端子４２から増幅部３１に電源を供給しているので、専用のジャックを電源部４０に設ける必要をなくすことができる。
【００２４】
なお、電源部４０を増幅器ケース１から取り出して離れた場所に設置し、信号出力端子６と信号入力端子／電源出力端子４２とを同軸ケーブルで接続することにより、図４に示す経路ｂを実現することができる。
上記説明した増幅器ケース１において、第１Ｌ字突起１１および第２Ｌ字突起１２の形状はＬ字状に限らず、Ｕ字状やコ字状とすることができる。すなわち、第１Ｌ字突起１１および第２Ｌ字突起１２の形状は、係合する突部４１の前方向および下方向への規制を行える形状とされていればよい。
また、本発明にかかる増幅器ケース１は、合成樹脂を成型することにより作成することができるが、アルミダイキャスト製としてもよい。
【産業上の利用可能性】
【００２５】
上記したように本発明の増幅器ケースは、蓋部を回転したことにより形成される空間を利用して、電源部をケース本体部内に収納できるようにしている。そして、蓋部を回転して閉じた際には前記利用した空間はなくなることから、増幅器ケースの大きさを増幅部と電源部とを収納できる必要最小限の大きさとすることができる。また、増幅器ケース内に収納された電源部をその底面部に沿って移動させることにより、電源部の突部が増幅器ケースの屈曲された突起に係合して電源部が装着されると共に、この際に、電源部の信号入力端子が増幅器に接続されて電源を増幅器に供給することができるようになる。さらに、蓋部を回転して閉じた際に蓋部の内側に形成されている保持用リブが電源部を保持するようになり、これにより、着脱可能な電源部を安定して増幅器ケース内に収納できるようになる。さらにまた、蓋部をケース本体部に対して回転させて被嵌する際に、蓋部の上側壁部に形成されている円弧状部の内周面に底面部の先端縁と、底面部の先端部の裏面に形成された補強壁の先端が摺接される構成としたので、増幅器ケースを防水構造を有する水密な構成とすることができる。
【図面の簡単な説明】
【００２６】
【図１】本発明の実施の形態の増幅器ケースの全体構成を示す正面図である。
【図２】本発明の実施の形態の増幅器ケースの全体構成を示す側面図である。
【図３】本発明の実施の形態の増幅器ケースの全体構成を示す底面図である。
【図４】本発明の実施の形態にかかる増幅器ケースに収納され増幅部と電源部の回路構成を示す図である。
【図５】本発明の実施の形態にかかる増幅器ケースにおけるケース本体部の内部構造を示す図である。
【図６】本発明の実施の形態にかかる増幅器ケースにおいて、蓋部を開けた状態の構成を示す断面図で示す側面図である。
【図７】本発明の実施の形態にかかる増幅器ケースにおける電源部の構成を示す正面図である。
【図８】本発明の実施の形態にかかる増幅器ケースにおける電源部の構成を示す下面図である。
【図９】本発明の実施の形態にかかる増幅器ケースにおける電源部の構成を示す側面図である。
【図１０】本発明の実施の形態にかかる増幅器ケースにおいて、電源部を増幅器ケース内に収納する際の第１の手順を説明するための断面図で示す側面図である。
【図１１】本発明の実施の形態にかかる増幅器ケースにおいて、電源部を増幅器ケース内に収納する際の第１の手順を説明するための正面図である。
【図１２】本発明の実施の形態にかかる増幅器ケースにおいて、電源部を増幅器ケース内に収納する際の第２の手順を説明するための断面図で示す側面図である。
【図１３】本発明の実施の形態にかかる増幅器ケースにおいて、電源部を増幅器ケース内に収納する際の第２の手順を説明するための正面図である。
【図１４】本発明の実施の形態にかかる増幅器ケースにおいて、電源部を増幅器ケース内に収納する際の第２の手順を説明するための正面図である。
【図１５】本発明の実施の形態にかかる増幅器ケースにおいて、電源部を増幅器ケース内に収納する際の第３の手順を説明するための断面図で示す側面図である。
【図１６】ＣＡＴＶシステムからＣＡＴＶ信号を建物の屋内に導入する際の第１の態様を示す図である。
【図１７】ＣＡＴＶシステムからＣＡＴＶ信号を建物の屋内に導入する際の第２の態様を示す図である。
【符号の説明】
【００２７】
１  増幅器ケース、２  蓋部、３  ケース本体部、４  回転支持部、５  信号入力端子、６  信号出力端子、７  電源ケーブル、８  保持部、１１  第１Ｌ字突起、１２  第２Ｌ字突起、１３  左側壁部、１４  右側壁部、１５  底面部、１５ａ  防水壁、１６  下側壁部、１７  支軸、１８  係合片、１９  補強壁、２１  上面部、２２  側壁部、２３  上側壁部、２４  保持用リブ、２５  係止片、２６  下側壁部、２７  円弧状部、３１  増幅部、３１ａ  増幅回路、３２  電源入力端子、３３  凹部、４０  電源部、４０ａ  電源回路、４１  突部、４２  信号入力端子／電源出力端子、４３  信号出力端子、４４  位置決め片、１００  ＣＡＴＶライン、１０１  分岐器、１０２  増幅器、１０３  分配器、１０４  電源部
【図１】
0004448151.tif 000002
【図２】
0004448151.tif 000003
【図３】
0004448151.tif 000004
【図４】
0004448151.tif 000005
【図５】
0004448151.tif 000006
【図６】
0004448151.tif 000007
【図７】
0004448151.tif 000008
【図８】
0004448151.tif 000009
【図９】
0004448151.tif 000010
【図１０】
0004448151.tif 000011
【図１１】
0004448151.tif 000012
【図１２】
0004448151.tif 000013
【図１３】
0004448151.tif 000014
【図１４】
0004448151.tif 000015
【図１５】
0004448151.tif 000016
【図１６】
0004448151.tif 000017
【図１７】
0004448151.tif 000018